(57)【特許請求の範囲】
【請求項１】
金属板製の建材本体に裏面側に凹入するように折り曲げて裏面側部分が大径部となる長尺で袋状の被固定部を形成し、板状の固定金具の縁部に開口して大径部よりも大きい幅の導入切欠きを形成し、導入切欠きの奥に導入切欠きに連通して導入切欠きよりも広幅となる回動用の切欠きを形成し、建材本体の裏面側において大径部を固定金具の導入切欠きをへて回動用の切欠きに案内し、固定金具を回転させて大径部の抜け止めを図って固定金具を下地に固定することを特徴とする金属建材の固定構造。
【請求項２】
金属建材は壁材であり、被固定部は縦方向に長く形成され、固定金具を水平方向に対して斜めにして被固定部の大径部を回動用の切欠きに案内し、固定金具を略水平になるように回転させて大径部の抜止めを図ることを特徴とする請求項１記載の金属建材の固定構造。
【発明の詳細な説明】
【０００１】
【発明の属する技術分野】
本発明は、金属建材の固定構造に関し、詳しくは、壁材のような金属建材の固定をビス止めをおこなうことなく金属建材の裏面側から簡単におこなえるようにしようとする技術に係るものである。
【０００２】
【従来の技術】
従来、壁面材に使用する金属建材Ａａの固定は、図９に示すようにビスＢにて下地５に固定するものである。
【０００３】
【発明が解決しようとする課題】
ところが、このような固定構造においては、ビス止めのようなねじ込み作業や打ち込み作業を要し、金属建材Ａａの固定作業が煩雑になるとともに金属建材Ａａを貫通するビスＢを伝って雨水などが下地５側に漏洩するという問題があった。
【０００４】
本発明は上記の点に鑑みてなされたものであり、壁材のような金属建材の固定をビス止めをおこなうことなく金属建材の裏面側から簡単におこなえる金属建材の固定構造を提供することを課題とするものである。
【０００５】
【課題を解決するための手段】
請求項１においては、金属板製の建材本体１に裏面側に凹入するように折り曲げて裏面側部分が大径部２ａとなる長尺で袋状の被固定部２を形成し、板状の固定金具４の縁部に開口して大径部２ａよりも大きい幅の導入切欠き４ａを形成し、導入切欠き４ａの奥に導入切欠き４ａに連通して導入切欠き４ａよりも広幅となる回動用の切欠き４ｂを形成し、建材本体１の裏面側において大径部２ａを固定金具４の導入切欠き４ａをへて回動用の切欠き４ｂに案内し、固定金具４を回転させて大径部２ａの抜け止めを図って固定金具４を下地５に固定することを特徴とするものである。
【０００６】
このような構成によれば、建材本体１の裏面側において大径部２ａに固定金具４の導入切欠き４ａをへて回動用の切欠き４ｂを案内した後、固定金具４を回転させて導入切欠き４ａによって大径部２ａの抜け止めを図るのであり、この固定金具４を下地５に固定するのである。
【０００７】
請求項２においては、金属建材Ａは壁材であり、被固定部２は縦方向に長く形成され、固定金具４を水平方向に対して斜めにして被固定部２を回動用の切欠き４ｂに案内し、固定金具４を略水平になるように回転させて大径部２ａの抜け止めを図ることを特徴とするものである。
【０００８】
このような構成によれば、金属建材Ａは壁材として被固定部２を縦方向に長くしておけば、固定金具４を水平方向に対して斜めにして導入切欠き４ａをへて回動用の切欠き４ｂを被固定部２の大径部２ａに案内し、固定金具４を略水平になるように回転して固定金具４を下地５に安定して取り付けることができ、施工性を高めるのである。
【０００９】
【発明の実施の形態】
以下、本発明の実施の形態を図面に基づいて説明する。
【００１０】
図１（ａ）（ｂ）は本発明における実施の形態１の動作を示す斜視図であり、図２(ａ)は金属建材Ａの概略断面図である。
【００１１】
金属建材Ａは金属板製の建材本体１の途中部分を裏面側に凹入するように折り曲げて裏面側部分が大径部２ａとなるとともに表面側部分が小径部２ｂとなる袋状の被固定部２を複数本形成したものである。このような被固定部２の形状は図３(ａ)(ｂ)(ｃ)のように変更することができる。又、金属建材Ａにおいて、被固定部２，２間の板面形状は図２(ｂ)のように強度リブ６を形成するなど種々に変更することができる。
【００１２】
図１に示すように、固定金具４は、厚板で形成されていて、固定金具４の前縁部に開口して大径部２ａよりも大きい幅の導入切欠き４ａを形成し、導入切欠き４ａの奥に導入切欠き４ａに連通して導入切欠き４ａよりも広幅となる回動用の切欠き４ｂを形成している。具体的には、固定金具４に略Ｔ字状の切り目７を入れ、折り目８において導入舌片９，９を板面に対して反対方向で斜めに折り曲げ、かつ、先端片１０，１０を折り曲げることで、導入切欠き４ａ及び回動用の切欠き４ｂを形成するものである。この場合、導入切欠き４ａの幅Ｗ1、つまり、導入舌片９，９間の間隔は大径部２ａの幅Ｗ2よりも大きくしている。
【００１３】
しかして、図１(ａ)(ｂ)に示すように、建材本体１の裏面側において、固定金具４の導入舌片９，９間に形成されている導入切欠き４ａを大径部２ａに挿通するとともに大径部２ａを奥の回動用の切欠き４ｂに案内した後、固定金具４を回転させて略水平にし、回動用の切欠き４ｂの奥の先端片１０，１０を大径部２ａの背部に面接させて大径部２ａの抜け止めを図るのであり、このようにした後、ボルト１１にて固定金具４を下地５に固定するのである。下地５はチャンネル状の胴縁である。この場合、金属建材Ａは壁材として被固定部２を縦方向に形成するのであり、金属建材Ａの上端部が軒先の下部においてボルト等(図示せず)にて固定されている。
【００１４】
このように、固定金具４を略水平になるように下地５に固定することで、固定金具４を安定して取り付けることができ、施工性を高めることができるのである。
【００１５】
図４は金属建材Ａ，Ａの接続構造を示していて、金属建材Ａの一側端部には小径部２ｂの内部に接続凹部１３が形成されている。金属建材Ａの他側端には接続片１４が延出されている。しかして、接続片１４を接続凹部１３に挿入して、イ，ロ，ハ，ニの４箇所において弾接して水密を図るものである。このうち、ロ，ハはいずれか一方が弾接しておればよい。金属建材Ａ，Ａの接続形態は例えば、図８のように、接続片１４の先端を大径部２ａの底部に弾接させるようにしてもよく、接続形態は種々変更することができる。
【００１６】
図５は金属建材Ａ，Ａの接続箇所において、上記固定金具４を使って両金属建材Ａ，Ａを固定している状態を示している。
【００１７】
図６は、実施の形態２を示していて、固定金具４にスリットＳを形成して先端片１０をなくし、又、固定金具４に取り付け片１２を斜めに延出させたものである。但し、基本的な構成は実施の形態１と同じであり、同一の構成のものには同じ符号を付して説明は省略する。
【００１８】
本実施の形態においては、図６(ａ)(ｂ)に示すように、固定金具４を水平にして金属建材Ａの被固定部２の大径部２ａに導入舌片９，９間の導入切欠き４ａを遊合し、更に、導入切欠き４ａの奥の回動用の切欠き４ｂに大径部２ａを案内し、その後、固定金具４を回転させて導入舌片９の後縁部を大径部２ａの背部に当接させて大径部２ａの抜け止めを図るのである。そして、水平となった固定金具４を下地５にボルト１１にて固定するのである。
【００１９】
尚、固定金具４の形状は種々変更可能である。
【００２０】
【発明の効果】
請求項１においては、金属板製の建材本体に裏面側に凹入するように折り曲げて裏面側部分が大径部となる長尺で袋状の被固定部を形成し、板状の固定金具の縁部に開口して大径部よりも大きい幅の導入切欠きを形成し、導入切欠きの奥に導入切欠きに連通して導入切欠きよりも広幅となる回動用の切欠きを形成し、建材本体の裏面側において大径部を固定金具の導入切欠きを回動用の切欠きをへて回動用の切欠きに案内し、固定金具を回転させて大径部の抜け止めを図って固定金具を下地に固定するから、金属建材を固定するのに際して、大径部に固定金具の導入切欠きをへて回動用の切欠きを案内した後、固定金具を回転させて導入切欠きによって大径部の抜け止めを図るのであり、金属建材の固定を裏面側からおこなえるのであり、従来のように、表面側からビス止めをおこなわなくてもよく、又、ビスを伝う漏水を回避することができるという利点がある。
【００２１】
この場合、請求項２のように、金属建材は壁材として被固定部を縦方向に長くしておけば、固定金具を水平方向に対して斜めにして導入切欠きをへて被固定部の大径部を回動用の切欠きに案内し、固定金具を略水平になるように回転させて大径部の抜け止めを図って固定金具を下地に安定して取り付けることができ、施工性を高めることができるという利点がある。
【図面の簡単な説明】
【図１】（ａ）（ｂ）は本発明の動作を示す斜視図、(ｃ)は固定金具の製作途中の平面図である。
【図２】（ａ）は同上の金属建材の水平断面図、（ｂ）は他例の部分概略断面図である。
【図３】（ａ）（ｂ）（ｃ）は同上の被固定部の他例の拡大平面図である。
【図４】同上の金属建材を接続している部分の断面図である。
【図５】（ａ）は同上の概略平面図、（ｂ）（ｃ）は動作を示す正面図である。
【図６】同上の実施の形態２を示し、（ａ）（ｂ）は動作を示す斜視図である。
【図７】（ａ）は同上の概略平面図、（ｂ）（ｃ）は動作を示す正面図である。
【図８】同上の金属建材の他の接続形態を示す断面図である。
【図９】従来例の断面図である。
【符号の説明】
１    建材本体
２    被固定部
２ａ  大径部
２ｂ  小径部
４    固定金具
４ａ  導入切欠き
４ｂ  回動用の切欠き
５    下地
【図１】
0003957108.tif 000002
【図２】
0003957108.tif 000003
【図３】
0003957108.tif 000004
【図４】
0003957108.tif 000005
【図５】
0003957108.tif 000006
【図６】
0003957108.tif 000007
【図７】
0003957108.tif 000008
【図８】
0003957108.tif 000009
【図９】
0003957108.tif 000010